(57)【要約】【課題】、グループ制御による照明負荷の動作状態を容易に確認できるとともに、画面の焼付け防止を図ることのできる負荷制御システムを提供する。【解決手段】負荷制御システム１は、主制御装置２の表示画面１１に制御端末器４の制御パターンのメニューを表示させるメニュー表示制御手段１７と、表示画面１１に表示されたメニューにより制御パターンを選択したときに、当該制御パターンのパターン制御の実行を制御する制御パターン制御手段１８と、選択された制御パターンをスクリーンセーバで表示画面１１に表示させるスクリーンセーバ表示制御手段１９とを具備している。【選択図】図２
2006287580.tif 000002
【特許請求の範囲】
【請求項１】
複数の制御端末器および監視端末器が伝送線により接続されているとともに、パターン制御される制御端末器の動作状態を表示可能な表示画面を有してなり、制御端末器および監視端末器の制御監視を行う主制御装置と；
負荷機器の予め設定された制御端末器の制御パターンのメニューを表示画面に表示させるメニュー表示制御手段と；
表示画面に表示されたメニューにより制御パターンを選択したときに、当該制御パターンのパターン制御の実行を制御する制御パターン制御手段と；
選択された制御パターンをスクリーンセーバで表示画面に表示させるスクリーンセーバ表示制御手段と；
を具備していることを特徴とする負荷制御システム。
【請求項２】
複数の制御端末器および監視端末器が伝送線により接続されているとともに、パターン制御される制御端末器の動作状態を表示可能な表示画面を有してなり、制御端末器および監視端末器の制御監視を行う主制御装置と；
負荷機器の予め設定された制御端末器の制御パターンのメニューを表示画面に表示させるメニュー表示制御手段と；
表示画面に表示されたメニューにより制御パターンを選択したときに、当該制御パターンのパターン制御の実行を制御する制御パターン制御手段と；
選択された制御パターンをスクリーンセーバで表示画面に表示させるスクリーンセーバ表示制御手段と；
制御パターン制御手段によりパターン制御された制御端末器の動作状態を判定するパターン制御判定手段と；
パターン制御判定手段により判定された制御端末器において、少なくとも１つの制御端末器の動作状態が制御パターンの本来の動作状態と不一致のときに、不一致を表わすスクリーンセーバで表示画面に表示させる不一致スクリーンセーバ表示制御手段と；
を具備していることを特徴とする負荷明制御システム。
【請求項３】
さらに、制御パターンの本来の動作状態と不一致の制御端末器を特定させる特定表示を表示画面に表示させる不一致制御対象表示制御手段と；
を具備していることを特徴とする請求項２記載の負荷制御システム。
【発明の詳細な説明】
【技術分野】
【０００１】
本発明は、負荷機器を遠隔地から制御監視することのできる負荷制御システムに関する。
【背景技術】
【０００２】
負荷制御システムとしての照明制御システムにおいて、表示装置の画面に、予め区分したグループ毎に照明負荷の動作状態を表示し、当該画面上でグループ毎に照明負荷の動作を制御、監視することが行われている。例えば、表示装置の画面上に、各グループ制御による全ての照明負荷の動作状態を容易に確認できる照明制御システムが提案されている（例えば、特許文献１参照。）。この照明制御システムは、グループ制御が行われたときに、本来制御されるべき照明負荷の状態と、実際の照明負荷の制御結果とを比較して、制御が正常であったか異常であったかを、各グループ制御パターンの全ての照明負荷に対して判別できる。そして、判別した動作状態を、表示画面に一覧表示させるものである。
【特許文献１】特開平１１−１３４０２１号公報（第４−５頁、第４図）
【発明の開示】
【発明が解決しようとする課題】
【０００３】
特許文献１の照明制御システムは、グループ制御が行われたときに、一覧表示された照明負荷の動作状態を視認して、制御が正常であったか異常であったかを個々の照明負荷で確認するので、確認時間を要するという欠点を有する。特に、全ての照明負荷の動作状態が正常であっても、一覧表示を一通り確認するので、面倒である。
【０００４】
また、グループ制御が行われた後に、例えば壁スイッチにより個々の照明負荷の動作状態が変更される場合があるので、表示画面に継続して一覧表示させることが考えられる。この場合、長時間表示した状態が続くと、画面の焼付けが発生することがある。
【０００５】
本発明は、グループ制御による照明負荷の動作状態を容易に確認できるとともに、画面の焼付け防止を図ることのできる負荷制御システムを提供することを目的とする。
【課題を解決するための手段】
【０００６】
請求項１に記載の負荷制御システムの発明は、複数の制御端末器および監視端末器が伝送線により接続されているとともに、パターン制御される制御端末器の動作状態を表示可能な表示画面を有してなり、制御端末器および監視端末器の制御監視を行う主制御装置と；負荷機器の予め設定された制御端末器の制御パターンのメニューを表示画面に表示させるメニュー表示制御手段と；表示画面に表示されたメニューにより制御パターンを選択したときに、当該制御パターンのパターン制御の実行を制御する制御パターン制御手段と；選択された制御パターンをスクリーンセーバで表示画面に表示させるスクリーンセーバ表示制御手段と；を具備していることを特徴とする。
【０００７】
本発明および以下の各発明において、特に言及しない限り、各構成は以下による。
【０００８】
主制御装置は、自身が表示画面を有していてもよく、表示装置を接続することにより表示画面を有するように構成してもよい。そして、主制御装置は、パーソナルコンピュータ（ＰＣ）で構成してもよい。
【０００９】
スクリーンセーバは、パターン制御による制御端末器の動作状態を表示するとともに、画面の焼付け防止として機能する。スクリーンセーバは、制御パターンを表現する文字、図形、模様など、あるいは連想するキーワードなどで表わすことができる。
【００１０】
本発明によれば、表示画面に表示されたメニューにより制御パターンが選択されると、パターン制御が実行される。そして、パターン制御が実行されると、選択された制御パターンを表わすスクリーンセーバが表示画面に表示される。
【００１１】
請求項２に記載の負荷制御システムの発明は、複数の制御端末器および監視端末器が伝送線により接続されているとともに、パターン制御される制御端末器の動作状態を表示可能な表示画面を有してなり、制御端末器および監視端末器の制御監視を行う主制御装置と；負荷機器の予め設定された制御端末器の制御パターンのメニューを表示画面に表示させるメニュー表示制御手段と；表示画面に表示されたメニューにより制御パターンを選択したときに、当該制御パターンのパターン制御の実行を制御する制御パターン制御手段と；選択された制御パターンをスクリーンセーバで表示画面に表示させるスクリーンセーバ表示制御手段と；制御パターン制御手段によりパターン制御された制御端末器の動作状態を判定するパターン制御判定手段と；パターン制御判定手段により判定された制御端末器において、少なくとも１つの制御端末器の動作状態が制御パターンの本来の動作状態と不一致のときに、不一致を表わすスクリーンセーバで表示画面に表示させる不一致スクリーンセーバ表示制御手段と；を具備していることを特徴とする。
【００１２】
「制御パターンの本来の動作状態」とは、パターン制御されたときに、動作が設定されている制御端末器は動作し、動作が設定されていない制御端末器は動作しないことである。したがって、「本来の動作状態が不一致」とは、パターン制御されたときに、動作が設定されている制御端末器は動作しなく、動作が設定されていない制御端末器は動作することをいう。制御端末器の動作状態を不一致にさせる手段として、例えば、当該制御端末器に対する壁スイッチやリモコンによるオンオフ操作、人感センサによる制御動作などが挙げられる。
【００１３】
本発明によれば、表示画面に表示されたメニューにより制御パターンが選択されると、パターン制御が実行される。そして、制御パターンに設定された制御端末器の全てが制御パターンの本来の動作状態と一致していると、実行中の制御パターンを表わすスクリーンセーバが表示画面に表示される。また、制御パターンに設定された制御端末器の少なくとも１つが制御パターンの本来の動作状態と不一致であると、不一致を表わすスクリーンセーバが表示画面に表示される。
【００１４】
請求項３に記載の負荷制御システムの発明は、請求項２記載の負荷制御システムにおいて、さらに、制御パターンの本来の動作状態と不一致の制御端末器を特定させる特定表示を表示画面に表示させる不一致制御対象表示制御手段と；を具備していることを特徴とする。
【００１５】
特定表示は、例えば制御端末器のアドレスとすることができる。
【００１６】
本発明によれば、制御パターンの本来の動作状態と不一致の動作状態の御端末器が特定表示で表示画面に表示される。
【発明の効果】
【００１７】
請求項１の発明によれば、選択した制御パターンのパターン制御が実行されると、制御パターンを表現するスクリーンセーバが表示画面に表示されるので、スクリーンセーバを視認することにより、実行中の制御パターンを確認することができるとともに、画面の焼付けを防止することができる。
【００１８】
請求項２の発明によれば、選択した制御パターンのパターン制御が実行されると、表示画面に実行中の制御パターンを表わすスクリーンセーバまたは不一致を表わすスクリーンセーバが表示されるので、それらのスクリーンセーバを視認することにより、制御パターンに設定された制御端末器が制御パターンの本来の動作状態どおりに動作しているか否かを確認することができるとともに、画面の焼付けを防止することができる。
【００１９】
請求項３の発明によれば、制御パターンの本来の動作状態と不一致の動作状態の制御端末器を表示画面で特定できるので、不一致の動作状態の制御端末器に対して、迅速な対応をすることができる。
【発明を実施するための最良の形態】
【００２０】
以下、本発明の一実施の形態について、図面を参照して説明する。
【００２１】
図１〜図６は、本発明の一実施の形態を示し、図１は照明制御システムのブロック図、図２は主制御装置のブロック図、図３は表示画面に表示されたスクリーンセーバの表示画面図、図４は表示画面に表示された不一致のスクリーンセーバの表示画面図、図５は制御パターンのメニューの表示画面図、図６は制御端末器のブロック図、図７は表示画面に表示された他の不一致のスクリーンセーバおよび特定表示の表示画面図である。
【００２２】
図１において、負荷制御システム１は、照明制御システムであり、主制御装置２と、この主制御装置２に伝送線３を介して接続されている複数の制御端末器４および監視端末器５を有して構成されている。
【００２３】
制御端末器４は、例えば蛍光ランプである照明負荷６を装着している照明器具７が接続され、主制御装置２から伝送された制御信号に応じて照明負荷６を点消灯または調光するように構成されている。また、監視端末器５は、部屋や廊下などの壁面に配設された壁スイッチ８や天井面に配設された例えば人感センサ９を有するセンサ装置１０などからなり、照明負荷６（制御端末器４）の動作状態を変更させる変更信号を主制御装置２に出力するように構成されている。
【００２４】
主制御装置２は、制御端末器４および監視端末器５の制御監視を行うものであり、例えば、建物の階数毎に設置されている。そして、主制御装置２自身および監視端末器５からの制御要求に応じて、照明負荷６の動作状態を制御する制御信号を制御端末器４に出力するように構成されている。制御端末器４および監視端末器５などは、それぞれアドレスが設定されている。そして、主制御装置２は、制御端末器４および監視端末器５の動作状態などを表示可能な表示画面１１を有している。
【００２５】
主制御装置２は、図２に示すように、送受信インターフェース（Ｉ／Ｆ）部１２、主制御部１３、操作入力手段１４、不揮発性の記憶部１５、揮発性の記憶部１６、メニュー表示制御手段１７、制御パターン制御手段１８、スクリーンセーバ表示制御手段１９、パターン制御判定手段２０、不一致スクリーンセーバ表示制御手段２１および不一致制御対象表示制御手段２２を有して構成されている。
【００２６】
送受信Ｉ／Ｆ部１２は、伝送線３を介して制御端末器４に照明負荷６の動作状態を変更させる制御信号を送信するとともに、制御端末器４および監視端末器５のそれぞれの動作状態の監視データを受信するように構成されている。
【００２７】
主制御部１３は、制御端末器４の動作状態を制御する制御信号を演算生成するとともに、送受信Ｉ／Ｆ部１２が受信した監視データを揮発性の記憶部１６に記憶させる。また、操作入力手段１４からの操作信号に応じて、各種の制御を行う。
【００２８】
操作入力手段１４は、例えばマウスやキーボードなどからなり、操作信号を主制御部１３に出力するように形成されている。そして、制御端末器４をグループ化して制御パターンに設定させる。図３に、制御端末器４をグループ化して設定した一例としての制御パターン１〜制御パターン３を示す。
【００２９】
不揮発性の記憶部１５は、例えば、図３に示す制御パターン１〜制御パターン３、この制御パターン１〜制御パターン３を表わすそれぞれのスクリーンセーバＰ１，Ｐ２，Ｐ３をそれぞれのスクリーンセーバＰ１，Ｐ２，Ｐ３に付与されたファイルｐａｔ０１．ｂｍｐ〜ｐａｔ０３．ｂｍｐとともに記憶している。また、図４に示すように、制御パターン１〜制御パターン３の不一致を表わすそれぞれのスクリーンセーバＢ１，Ｂ２，Ｂ３をそれぞれのファイルｂａｔ０１．ｂｍｐ〜ｂａｔ０３．ｂｍｐとともに記憶している。また、主制御装置２、制御端末器４、監視端末器５などのアドレスを記憶している。その他、各種データなどが記憶されている。そして、揮発性の記憶部１６は、制御端末器４の動作状態などを記憶する。
【００３０】
メニュー表示制御手段１７は、図５に示すように、不揮発性の記憶部１５に記憶されている制御パターン、例えば制御パターン１〜制御パターン３のメニューを表示画面１１に表示させる。そして、パターン表示部２３をマウスでクリックすることにより、制御パターン１〜制御パターン３が選択することができる。
【００３１】
制御パターン制御手段１８は、制御パターンが選択されると、主制御部１３に制御パターンのパターン制御（グループ制御）を実行させるように制御する。主制御部１３は、制御パターンに設定された制御端末器４に制御信号を送出して制御端末器４を動作させる。例えば、図５に示す表示画面１１において、制御パターン１が選択されると、図３（ａ）に示すように制御端末器４が制御される。制御パターン２が選択されると、図３（ｂ）に示すように制御端末器４が制御され、制御パターン３が選択されると、図３（ｃ）に示すように制御端末器４が制御される。図３において、黒く塗りつぶしている状態は、制御端末器４が動作していない状態（照明負荷６が消灯している状態）、黒く塗りつぶしていない状態は、制御端末器４が動作している状態（照明負荷６が点灯している状態）を示す。
【００３２】
スクリーンセーバ表示制御手段１９は、図５に示す表示画面１１において選択された制御パターンに対して、不揮発性の記憶部１５から当該制御パターンに割り付けられたスクリーンセーバを読み出して、所定時間後に表示画面１１に表示させる。すなわち、図３（ａ）〜図３（ｂ）に示すように、制御パターン１〜制御パターン３に対して、ファイルｐａｔ０１．ｂｍｐ〜ｐａｔ０３．ｂｍｐからそれぞれのスクリーンセーバＰ１〜スクリーンセーバＰ３を読み出して所定時間後に表示画面１１に表示させる。
【００３３】
パターン制御判定手段２０は、パターン制御された制御端末器４の動作状態を判定する。すなわち、図３（ａ）〜図３（ｂ）の制御端末器４の動作状態は、制御パターン１〜制御パターン３の本来の動作状態を示している。したがって、パターン制御判定手段２０は、制御パターンどおりに制御端末器４が動作していると判定する。一方、図４（ａ）〜図４（ｂ）の制御端末器４の動作状態は、一部の制御端末器４において、制御パターン１〜制御パターン３の本来の動作状態と異なっている。したがって、パターン制御判定手段２０は、制御パターンと不一致して制御端末器４が動作していると判定する。この不一致は、制御パターンの本来の動作状態にある制御端末器４に対して、例えば壁スイッチ８によりその動作状態が変更されることによる。そして、パターン制御判定手段２０は、少なくとも１つの制御端末器４の動作状態が制御パターンの本来の動作状態と不一致していると、実行中の制御パターンが不一致していると判定するものである。
【００３４】
不一致スクリーンセーバ表示制御手段２１は、パターン制御の制御端末器４の動作状態が制御パターンの本来の動作状態と不一致のときに、不揮発性の記憶部１５から当該制御パターンに割り付けられた不一致を表わすスクリーンセーバを読み出して、所定時間後に表示画面１１に表示させる。すなわち、図４（ａ）〜図４（ｂ）に示すように、制御パターン１〜制御パターン３に対して、ファイルｂａｔ０１．ｂｍｐ〜ｂａｔ０３．ｂｍｐからそれぞれの不一致を表わすスクリーンセーバＢ１〜スクリーンセーバＢ３を読み出して、所定時間後に表示画面１１に表示させる。
【００３５】
不一致制御対象表示制御手段２２は、図４（ａ）〜図４（ｂ）に示すように、不一致を表わすスクリーンセーバＢ１，Ｂ２，Ｂ３が表示された表示画面１１の表示部２４に不一致の制御端末器４を特定させる特定表示を表示させる。特定表示は、例えば制御端末器４のアドレスである。表示部２４をマウスでクリックすることにより、アドレスが表示される。
【００３６】
そして、制御端末器４は、図６に示すように、送受信インターフェース（Ｉ／Ｆ）部２５、制御部２６、ＯＮ／ＯＦＦ信号出力部２７、不揮発性の記憶部２８および電源部２９を有して構成されている。
【００３７】
送受信Ｉ／Ｆ部２５は、伝送線３に接続され、伝送線３との間で制御信号の送受信を行う。制御部２６は、制御信号が照明負荷６を点灯させる制御信号のときに、ＯＮ／ＯＦＦ信号出力部２７にリレーオン信号を送出する。ＯＮ／ＯＦＦ信号出力部２７は、リレーオン信号に応じてリレーを付勢させる。これにより、照明負荷６が点灯する。不揮発性の記憶部２８は、アドレスなどの各種データを記憶している。電源部２９は、制御部２６などに電源を供給している。
【００３８】
そして、制御端末器４は、パターン制御に応じて動作状態、不動作状態の監視信号（状態信号）を主制御装置２に伝送する。また、パターン制御に応じて動作状態または不動作状態であるときに、例えば壁スイッチ８から照明負荷６をオンオフする制御信号を受信して動作状態を変更すると、動作状態の変更の監視信号を主制御部２に伝送する。これにより、パターン制御判定手段２０は、パターン制御された制御パターンの制御端末器４の動作状態が制御パターンの本来の動作状態と一致、不一致であるかを判定することができる。
【００３９】
次に、本発明の一実施の形態の作用について述べる。
【００４０】
図５に示すように、メニュー表示制御手段１７により表示画面１１に制御パターンのメニューが表示される。そして、メニューから制御パターンを選択すると、制御端末器４は、制御パターン制御手段１８により制御パターンに設定された動作状態にパターン制御される。そして、所定時間後に、スクリーンセーバ表示制御手段１９により制御パターンを表わすスクリーンセーバが表示画面１１に表示される。このスクリーンセーバは、一定期間毎に表示される。
【００４１】
図５において、表示画面１１に、制御パターン１が選択されると、図３（ａ）に示すスクリーンセーバＰ１が表示され、制御パターン２が選択されると、図３（ｂ）に示すスクリーンセーバＰ２が表示され、制御パターン３が選択されると、図３（ｃ）に示すスクリーンセーバＰ３が表示される。したがって、表示画面１１において、スクリーンセーバＰ１〜スクリーンセーバＰ３を視認することによって、実行中の制御パターン１〜制御パターン３を確認することができ、制御パターンどおりに制御端末器４が動作していることを容易に確認することができる。すなわち、個々の制御端末器４の動作状態を確認する必要がないものである。そして、制御パターン１，２，３をスクリーンセーバＰ１，Ｐ２，Ｐ３で表示するので、画面の焼付けを防止することができる。
【００４２】
そして、パターン制御された制御端末器４は、常時、制御パターンどおりに動作しているか否かが判定される。すなわち、パターン制御判定手段２０において、制御端末器４の動作状態が制御パターンの本来の動作状態と一致しているか、不一致であるかが判定されている。そして、一致していると判定されると、実行中の制御パターンを表わすスクリーンセーバが表示画面１１に表示される。
【００４３】
そして、例えば壁スイッチ８が操作されて、パターン制御された制御端末器４の動作状態が変更されると、制御端末器４の動作状態が制御パターンの本来の動作状態と異なるようになる。制御端末器４は、選択された制御パターンどおりに動作していないので、パターン制御判定手段２０により不一致と判定される。そして、所定時間後に、表示画面１１に、不一致スクリーンセーバ表示制御手段２１により制御パターンの不一致を表わすスクリーンセーバが表示される。この不一致を表わすスクリーンセーバは、一定期間毎に表示される。
【００４４】
図４に示すように、パターン制御された制御端末器４が制御パターン１どおりに動作していないと、表示画面１１に不一致のスクリーンセーバＢ１が表示され、制御パターン２どおりに動作していないと、不一致のスクリーンセーバＢ２が表示され、制御パターン３どおりに動作していないと、不一致のスクリーンセーバＢ３が表示される。したがって、表示画面１１において、不一致のスクリーンセーバＢ１〜スクリーンセーバＢ３を視認することによって、選択した制御パターンどおりには制御端末器４が動作していないを容易に確認することができる。すなわち、個々の制御端末器４に対して、制御パターンどおりに制御端末器４が動作しているか否かを確認しないものである。そして、制御パターン１，２，３どおりに制御端末器４が動作していないことを不一致のスクリーンセーバＢ１，Ｂ２，Ｂ３で表示するので、画面の焼付けを防止することができる。
【００４５】
そして、表示画面１１の表示部２４をマウスでクリックすることにより、不一致制御対象表示制御手段２２により表示部２４に制御パターンの本来の動作状態をしていない制御端末器４のアドレスが表示される。したがって、当該制御端末器４に対して迅速に対応することができる。
【００４６】
なお、図７（ａ）に示すように、不一致のスクリーンセーバを制御パターンに係らず専用のスクリーンセーバ２５で表示してもよい。そして、スクリーンセーバ２５をマウスでクリックすることにより、図７（ｂ）に示すように、実行中の制御パターンおよび不一致の制御端末器４のアドレスを表示するように構成してもよい。
【図面の簡単な説明】
【００４７】
【図１】本発明の一実施の形態を示す照明制御システムのブロック図。
【図２】同じく、主制御装置のブロック図。
【図３】同じく、表示画面に表示されたスクリーンセーバの表示画面図。
【図４】同じく、表示画面に表示された不一致のスクリーンセーバの表示画面図。
【図５】同じく、制御パターンのメニューの表示画面図。
【図６】同じく、制御端末器のブロック図。
【図７】同じく、表示画面に表示された他の不一致のスクリーンセーバおよび特定表示の表示画面図。
【符号の説明】
【００４８】
１…負荷機器としての照明制御システム
２…主制御装置
１７…メニュー表示制御手段
１８…制御パターン制御手段
１９…スクリーンセーバ表示制御手段
２０…パターン制御判定手段
２１…不一致スクリーンセーバ表示制御手段
２２…不一致制御対象表示制御手段
【図１】
2006287580.tif 000003
【図２】
2006287580.tif 000004
【図３】
2006287580.tif 000005
【図４】
2006287580.tif 000006
【図５】
2006287580.tif 000007
【図６】
2006287580.tif 000008
【図７】
2006287580.tif 000009